(57)【要約】【課題】電気回路の開閉を簡便に行うことができる電気柵を提供する。【解決手段】電気柵１は、第１〜５の柵線（２Ａ〜２Ｅ）の一端が取付けられた第１の出入口用支柱３と、第１〜５の柵線（２Ａ〜２Ｅ）の端部以外の部分が取付けられた第２の出入口用支柱７と、第１の出入口用支柱３と第２の出入口用支柱７との間に配置された、かつ、第１〜５の柵線（２Ａ〜２Ｅ）の他端が取付けられた、導電性の開閉用支柱４と、第５の柵線２Ｅと電気的に接続された第１の連結部材５と、第５の柵線２Ｅと電気的に接続された第２の連結部材６とを備える。第１の連結部材５と第２の連結部材６は互いに、開閉用支柱４が閉位置に位置した場合に、磁力の作用で着脱可能に、かつ、導通可能に連結可能である。電圧印加回路９は、第２の柵線２Ｂと出力線１２を介して電気的に接続されている。【選択図】図１
0003204465.tif 000002
【実用新案登録請求の範囲】
【請求項１】
所定領域の周囲に形成されており、かつ、線状であり、かつ、導電性を有する導電部材と、
該導電部材の一端が取付けられた第１の支柱と、
前記導電部材の他端が取付けられており、かつ、同導電部材で囲まれた領域を開いた位置である開位置と同導電部材で囲まれた領域を閉じた位置である閉位置との間を移動可能な第２の支柱と、
前記導電部材と電気的に接続された第１の連結部材と、
前記導電部材と電気的に接続されており、かつ、前記第２の支柱が前記閉位置に位置した場合に、前記第１の連結部材と着脱可能に、かつ、導通可能に連結可能な第２の連結部材と、
前記導電部材と電気的に接続されており、かつ、同導電部材に所定の電圧を印加可能な電圧印加回路とを備える
電気柵。
【請求項２】
前記第１の連結部材と前記第２の連結部材は互いに、磁力の作用で着脱可能に、かつ、導通可能に連結可能である
請求項１に記載の電気柵。
【請求項３】
前記第１の連結部材は、導電性および磁性を帯びた第１の磁性体と、該第１の磁性体の内部に取付けられており、かつ、同第１の磁性体の端面に対して略直交する方向において、平坦な端面が同第１の磁性体の端面よりも内側に位置する第１の頭部を含み、かつ、導電性および磁性を帯びた第１のネジとを有し、
前記第２の連結部材は、導電性および磁性を帯びた第２の磁性体と、該第２の磁性体の内部に取付けられており、かつ、同第２の磁性体の端面に対して略直交する方向において、平坦な端面が同第２の磁性体の端面よりも外側に位置する第２の頭部を含み、かつ、導電性および磁性を帯びた第２のネジとを有する
請求項２に記載の電気柵。
【請求項４】
所定領域の周囲に形成されており、かつ、線状であり、かつ、導電性を有する導電部材と、
該導電部材の一端が取付けられた第１の支柱と、
前記導電部材の他端が取付けられた第２の支柱と、
前記導電部材と電気的に接続された第１の連結部材と、
該第１の連結部材と着脱可能に、かつ、導通可能に連結可能な第２の連結部材と、
該第２の連結部材と電気的に接続されており、かつ、同第２の連結部材に所定の電圧を印加可能な電圧印加回路とを備える
電気柵。
【考案の詳細な説明】
【技術分野】
【０００１】
本考案は電気柵に関する。詳しくは、例えば野生動物から田畑を守るための電気柵に係るものである。
【背景技術】
【０００２】
山間の農業地域では、イノシシや鹿などの動物が田畑へ侵入して、農作物を食い荒らしてしまう食害が多発している。
そこで、動物の田畑への侵入を防止するために、田畑の周囲に防護柵が設置されている。
【０００３】
防護柵としては、フェンスや電気柵が用いられており、田畑への動物侵入を防止する上で一定の成果を上げている。
電気柵は、田畑の周囲に張り巡らせた裸電線に、電源装置内の電圧発生器から発生した電圧が印加され、この裸電線に接触したイノシシや鹿などの野生動物を、印加された電圧の電撃によって撃退するための柵である。
【０００４】
また、これまでに様々な電気柵が提案されている。例えば特許文献１には、図８に示すような電気柵が記載されている。
【０００５】
すなわち、特許文献１に記載の電気柵１００は、衝撃電圧発生装置１０１と、衝撃電圧発生装置１０１と出力線１０７を介して電気的に接続された第１の柵線１０３Ａと、第１の柵線１０３Ａと上下結線１０４を介して電気的に接続された第２の柵線１０３Ｂとを備える。
【０００６】
また、第１の柵線１０３Ａおよび第２の柵線１０３Ｂは、田畑の周囲に打設された支柱１１１に係止されて、田畑の周囲に張設されている。
また、衝撃電圧発生装置１０１は、電源装置１０１Ａと、電源装置１０１Ａと電気的に接続された衝撃電圧発生部１０１Ｂとを有する。
【０００７】
また、電源装置１０１Ａは電源トランスＴを有する。また、電源装置１０１Ａは、電源トランスＴの１次巻線端子１３５近傍、すなわち１次巻線の巻始め端と、２次巻線のマイナス側の端子１３７との間、および、１次巻線端子１３４近傍すなわち、１次巻線の巻終わり端と、２次巻線のマイナス側の端子１３７との間に接続された、それぞれ衝撃電圧吸収素子であるサージアブソーバ（Ｚ１、Ｚ２）を有する。
【先行技術文献】
【特許文献】
【０００８】
【特許文献１】特開２００５−１５１７４８号公報
【考案の概要】
【考案が解決しようとする課題】
【０００９】
ところで、特許文献１に記載された電気柵など、通常の電気柵は、柵線に衝撃電圧を印加するための電源装置を柵線に電気的に接続しているが、電気柵内に人が入ったり電気柵内から人が出たりするために、電気回路を開いて柵線に電流が流れないようにしている。
【００１０】
その場合、電源装置のスイッチをオフにしたり、電源装置と柵線との接続を解除したりしている。
しかし、電源装置のスイッチのオンオフ切替えを頻繁に行うと電源装置に負担を掛けてしまって故障の原因となり、また、電源装置と柵線との接続の解除や再接続を行うことは、作業する者に負担を掛けてしまう。
【００１１】
本考案は、以上の点に鑑みて創案されたものであり、電気回路の開閉を簡便に行うことができる電気柵を提供することを目的とする。
【課題を解決するための手段】
【００１２】
上記の目的を達成するために、本考案の電気柵は、所定領域の周囲に形成されており、かつ、線状であり、かつ、導電性を有する導電部材と、該導電部材の一端が取付けられた第１の支柱と、前記導電部材の他端が取付けられており、かつ、同導電部材で囲まれた領域を開いた位置である開位置と同導電部材で囲まれた領域を閉じた位置である閉位置との間を移動可能な第２の支柱と、前記導電部材と電気的に接続された第１の連結部材と、前記導電部材と電気的に接続されており、かつ、前記第２の支柱が前記閉位置に位置した場合に、前記第１の連結部材と着脱可能に、かつ、導通可能に連結可能な第２の連結部材と、前記導電部材と電気的に接続されており、かつ、同導電部材に所定の電圧を印加可能な電圧印加回路とを備える。
【００１３】
ここで、導電部材と電気的に接続された第１の連結部材と、導電部材と電気的に接続されており、かつ、第２の支柱が閉位置に位置した場合に、第１の連結部材と着脱可能に、かつ、導通可能に連結可能な第２の連結部材とによって、第１の連結部材と第２の連結部材とを互いに連結したときに電気柵の電気回路を閉じることができ、第１の連結部材と第２の連結部材との連結を解除したときに電気柵の電気回路を開くことができる。
【００１４】
また、導電部材と電気的に接続されており、かつ、導電部材に所定の電圧を印加可能な電圧印加回路によって、導電部材に電圧を印加しておき、導電部材に触れた野生動物に衝撃電流を流して衝撃を与えて撃退させることができる。
【００１５】
また、本考案の電気柵において、第１の連結部材と第２の連結部材は互いに、磁力の作用で着脱可能に、かつ、導通可能に連結可能であるものとすることができる。
【００１６】
この場合、第１の連結部材と第２の連結部材の連結および連結解除を容易に行なうことができると共に、磁力によって第１の連結部材と第２の連結部材が互いに強く吸着し、接点不良が起き難い。
【００１７】
さらに、本考案の電気柵において、第１の連結部材は、導電性および磁性を帯びた第１の磁性体と、第１の磁性体の内部に取付けられており、かつ、第１の磁性体の端面に対して略直交する方向において、平坦な端面が第１の磁性体の端面よりも内側に位置する第１の頭部を含み、かつ、導電性および磁性を帯びた第１のネジとを有し、第２の連結部材は、導電性および磁性を帯びた第２の磁性体と、第２の磁性体の内部に取付けられており、かつ、第２の磁性体の端面に対して略直交する方向において、平坦な端面が第２の磁性体の端面よりも外側に位置する第２の頭部を含み、かつ、導電性および磁性を帯びた第２のネジとを有するものとすることができる。
【００１８】
この場合、第１の頭部の平坦な端面と、第２の頭部の平坦な端面とが互いに接触し易い。
また、第１の磁性体の端面に対して略直交する方向において、第１の頭部の平坦な端面が第１の磁性体の端面よりも内側に位置しており、第２の磁性体の端面に対して略直交する方向において、第２の頭部の平坦な端面が第２の磁性体の端面よりも外側に位置しているので、第１の頭部の平坦な端面と、第２の頭部の平坦な端面とが互いに接触したときに、第２の頭部が第１の磁性体の内側に入り込み、第２の頭部がずれ難い。
【００１９】
また、上記の目的を達成するために、本考案の電気柵は、所定領域の周囲に形成されており、かつ、線状であり、かつ、導電性を有する導電部材と、該導電部材の一端が取付けられた第１の支柱と、前記導電部材の他端が取付けられた第２の支柱と、前記導電部材と電気的に接続された第１の連結部材と、該第１の連結部材と着脱可能に、かつ、導通可能に連結可能な第２の連結部材と、該第２の連結部材と電気的に接続されており、かつ、同第２の連結部材に所定の電圧を印加可能な電圧印加回路とを備える。
【００２０】
ここで、導電部材と電気的に接続された第１の連結部材と、第１の連結部材と着脱可能に、かつ、導通可能に連結可能な第２の連結部材とによって、電圧印加回路に接続された第２の連結部材と第１の連結部材とを互いに連結したときに電気柵の電気回路を閉じることができ、第１の連結部材と第２の連結部材との連結を解除したときに電気柵の電気回路を開くことができる。
【００２１】
また、第２の連結部材と電気的に接続されており、かつ、第２の連結部材に所定の電圧を印加可能な電圧印加回路によって、導電部材に電圧を印加しておき、導電部材に触れた野生動物に衝撃電流を流して衝撃を与えて撃退させることができる。
【考案の効果】
【００２２】
本考案に係る電気柵は、電気回路の開閉を簡便に行うことができる。
【図面の簡単な説明】
【００２３】
【図１】本考案を適用した電気柵の一例を示す概略図である。
【図２】図１に示した本考案の電気柵の概略部分拡大図である。
【図３】図１に示した本考案の電気柵の開閉用支柱が開位置に位置した状態の一例を示す概略図である。
【図４】本考案の電気柵が備える、第１の連結部材と第２の連結部材の連結が解除された状態の概略断面図である。
【図５】本考案の電気柵が備える、第１の連結部材と第２の連結部材が連結した状態の概略断面図である。
【図６】本考案の電気柵の変形例を示す概略図である。
【図７】図６に示した本考案の電気柵の第２の支柱とその周辺の概略部分拡大図である。
【図８】従来の電気柵を示す概略図である。
【考案を実施するための形態】
【００２４】
以下、本考案の実施の形態について図面を参照しながら説明し、本考案の理解に供する。
図１は、本考案を適用した電気柵の一例を示す概略図である。また、図２は、図１に示した本考案の電気柵の概略部分拡大図である。また、図３は、図１に示した本考案の電気柵の開閉用支柱が開位置に位置した状態の一例を示す概略図である。
【００２５】
図１に示す本考案の電気柵１は、線状の裸電線である第１の柵線２Ａと、線状の裸電線である第２の柵線２Ｂと、線状の裸電線である第３の柵線２Ｃと、線状の裸電線である第４の柵線２Ｄと、線状の裸電線である第５の柵線２Ｅとを備える。
ここで、第１〜５の柵線（２Ａ〜２Ｅ）は導電部材の一例である。
【００２６】
また、本考案の電気柵１は、所定領域例えば田畑領域の周囲に、一定の間隔で端部が地中１６に埋め込まれて立設された複数の導電性の支柱を備える。
【００２７】
また、複数の支柱のうち、第１〜５の柵線（２Ａ〜２Ｅ）の一端が取付けられた支柱が第１の出入口用支柱３である。第１の出入口用支柱は第１の支柱の一例である。
また、複数の支柱のうち、第１〜５の柵線（２Ａ〜２Ｅ）の端部以外の部分が取付けられた支柱が第２の出入口用支柱７である。
【００２８】
また、図１に示していないが、第１〜５の柵線（２Ａ〜２Ｅ）の端部以外の部分が取付けられた、かつ、第２の出入口用支柱７以外の支柱が支持支柱として立設されている。
【００２９】
また、本考案の電気柵１は、第１の出入口用支柱３と第２の出入口用支柱７との間に配置された、かつ、第１〜５の柵線（２Ａ〜２Ｅ）の他端が取付けられた、導電性の開閉用支柱４を備える。開閉用支柱は第２の支柱の一例である。
【００３０】
また、第１の出入口用支柱３と、開閉用支柱４と、第２の出入口用支柱７にはそれぞれ、長手方向に一定の間隔で第１〜５の碍子（８Ａ〜８Ｅ）が取付けられている。
【００３１】
すなわち、図１に示すように、絶縁性の第１〜５の碍子（８Ａ〜８Ｅ）の中で第１の碍子８Ａが地面に一番近い位置に配置されており、第１の碍子８Ａの略鉛直方向上側に第２の碍子８Ｂが配置されており、第２の碍子８Ｂの略鉛直方向上側に第３の碍子８Ｃが配置されており、第３の碍子８Ｃの略鉛直方向上側に第４の碍子８Ｄが配置されており、第４の碍子８Ｄの略鉛直方向上側に第５の碍子８Ｅが配置されている。
【００３２】
また、第１〜５の柵線（２Ａ〜２Ｅ）はそれぞれ、第１〜５の碍子（８Ａ〜８Ｅ）に係止されて張設されており、所定領域例えば田畑領域の周囲に形成されている。
【００３３】
すなわち、第１〜５の柵線（２Ａ〜２Ｅ）の中で第１の柵線２Ａが地面に一番近い位置に、地面に対して略平行に配置されており、第１の柵線２Ａの略鉛直方向上側に第１の柵線２Ａに対して略平行に第２の柵線２Ｂが配置されており、第２の柵線２Ｂの略鉛直方向上側に第２の柵線２Ｂに対して略平行に第３の柵線２Ｃが配置されており、第３の柵線２Ｃの略鉛直方向上側に第３の柵線２Ｃに対して略平行に第４の柵線２Ｄが配置されており、第４の柵線２Ｄの略鉛直方向上側に第４の柵線２Ｄに対して略平行に第５の柵線２Ｅが配置されている。
【００３４】
また、図１に示すように、略鉛直方向に隣り合う柵線同士は、導電性を有する上下結線１７で電気的に接続されている。
【００３５】
また、図１に示すように、開閉用支柱４の端部は地中１６に埋め込まれておらず、また、図１および図２に示すように、第１の出入口用支柱３と開閉用支柱４とは、バインド線１８で解除可能に結束されている。
【００３６】
さらに、第１〜５の柵線（２Ａ〜２Ｅ）の一端が第１の出入口用支柱３に取付けられており、第１〜５の柵線（２Ａ〜２Ｅ）の他端が開閉用支柱４に取付けられているので、第１の出入口用支柱３と開閉用支柱４との間には、第１〜５の柵線（２Ａ〜２Ｅ）は架設されていない。
【００３７】
一方、開閉用支柱４と第２の出入口用支柱７との間には、第１〜５の柵線（２Ａ〜２Ｅ）が架設されている。
従って、開閉用支柱４は、第１〜５の柵線（２Ａ〜２Ｅ）で囲まれた領域を開いた位置である開位置と第１〜５の柵線（２Ａ〜２Ｅ）で囲まれた領域を閉じた位置である閉位置との間を移動可能である。
【００３８】
図１は、開閉用支柱４が閉位置に位置した状態を示しており、図３は、開閉用支柱４が開位置に位置した状態を示している。
【００３９】
また、本考案の電気柵１は、第５の柵線２Ｅと電気的に接続された第１の連結部材５を備える。
また、本考案の電気柵１は、第５の柵線２Ｅと電気的に接続された第２の連結部材６を備える。
また、第１の連結部材５と第２の連結部材６は互いに、開閉用支柱４が閉位置に位置した場合に、磁力の作用で着脱可能に、かつ、導通可能に連結可能である。
【００４０】
また、第２の連結部材６は、開閉用支柱４が開位置に位置した場合すなわち図３に示すような場合には、第１の連結部材５と連結できない程度の大きさを有し、かつ、第１の連結部材５と連結できない程度の位置に取付けられている。
【００４１】
また、本考案の電気柵１は、電源装置１５に内蔵された電圧印加回路９を備える。
ここで、電圧印加回路９は、電源装置１５の出力端子１３と電気的に接続されており、また、出力端子１３には出力線１２の一端が電気的に接続されており、出力線１２の他端は第２の柵線２Ｂと電気的に接続されている。
すなわち、電圧印加回路９は、第２の柵線２Ｂと出力線１２を介して電気的に接続されている。
【００４２】
また、電圧印加回路９は、第１〜５の柵線（２Ａ〜２Ｅ）に所定の電圧例えば約８，０００Ｖの電圧を印加可能である。
【００４３】
また、電源装置１５のアース端子１４には、アース線１０の一端が電気的に接続されており、アース線１０の他端にはアース棒１１が電気的に接続されている。
また、アース棒１１は地中１６に埋め込まれている。
【００４４】
また、図２に示すように、第１の連結部材５は、表面が樹脂などの絶縁性物質で覆われた金属線である第１の被覆線５Ａと、第１の被覆線５Ａの一端に電気的に接続された第１のネジが内側に取付けられた第１の磁性体５Ｂを有する。
また、図２に示すように、第１の被覆線５Ａの他端は、第５の柵線２Ｅと電気的に接続されている。
【００４５】
また、図２に示すように、第２の連結部材６は、表面が樹脂などの絶縁性物質で覆われた金属線である第２の被覆線６Ａと、第２の被覆線６Ａの一端に電気的に接続された第２のネジが内側に取付けられた第２の磁性体６Ｂを有する。
また、図２に示すように、第２の被覆線６Ａの他端は、第５の柵線２Ｅと電気的に接続されている。
【００４６】
ここで、図２に示すように、第１の被覆線５Ａの他端は、バインド線１８で結束された第１の出入口用支柱３と開閉用支柱４を境にして一方側に位置する第５の柵線２Ｅに電気的に接続されている。
【００４７】
また、図２に示すように、第２の被覆線６Ａの他端は、バインド線１８で結束された第１の出入口用支柱３と開閉用支柱４を境にして、第１の被覆線５Ａの他端が接続された第５の柵線２Ｅとは反対側に位置する第５の柵線２Ｅに電気的に接続されている。
【００４８】
また、図１に示す例では、第１の連結部材５と第２の連結部材６はそれぞれ、第５の柵線２Ｅにしか電気的に接続されていないが、第１の連結部材５と第２の連結部材６がそれぞれ、さらに、第１の柵線２Ａ、第２の柵線２Ｂ、第３の柵線２Ｃおよび第４の柵線２Ｄにも電気的に接続されていれば、これら第１の連結部材５と第２の連結部材６との連結を、バインド線１８による結束の代わりとすることができる。
【００４９】
図４は、本考案の電気柵が備える、第１の連結部材と第２の連結部材の連結が解除された状態の概略断面図である。また、図５は、本考案の電気柵が備える、第１の連結部材と第２の連結部材が連結した状態の概略断面図である。
なお、図４および図５において、第１の被覆線および第２の被覆線の図示を省略している。
【００５０】
図４に示すように、第１の磁性体５Ｂの内側に第１のネジ５Ｃが取付けられている。
また、第１のネジ５Ｃは、平坦な端面を有する第１の頭部５ＣＡを備える。
【００５１】
また、図４に示すように、第１の頭部５ＣＡの平坦な端面は、第２の磁性体６Ｂに面している第１の磁性体５Ｂの端面に対して略直交する方向において、第１の磁性体５Ｂの端面よりも内側すなわち図４において左側に位置している。
【００５２】
また、図４に示すように、第２の磁性体６Ｂの内側に第２のネジ６Ｃが取付けられている。
また、第２のネジ６Ｃは、平坦な端面を有する第２の頭部６ＣＡを備える。
【００５３】
また、図４に示すように、第２の頭部６ＣＡの平坦な端面は、第１の磁性体５Ｂに面している第２の磁性体６Ｂの端面に対して略直交する方向において、第２の磁性体６Ｂの端面よりも外側すなわち図４において左側に位置している。
【００５４】
また、図４に示すように、第１の磁性体５Ｂに面している第２の磁性体６Ｂの端面には、スペーサー６Ｄが取付けられている。
【００５５】
ここで、スペーサー６Ｄは、第２の頭部６ＣＡの平坦な端面を、第１の磁性体５Ｂに面している第２の磁性体６Ｂの端面に対して略直交する方向において、第２の磁性体６Ｂの端面よりも外側すなわち図４において左側に配置させるために取付けられている。
【００５６】
また、第１のネジ５Ｃと、第１の磁性体５Ｂと、第２のネジ６Ｃと、第２の磁性体６Ｂは、導電性および磁性を有する。
【００５７】
また、第１の連結部材５および第２の連結部材６は、このような構造であるので、図５に示すように、第１の連結部材５と第２の連結部材６を磁力で連結したときには、第１の頭部５ＣＡの平坦な端面と第２の頭部６ＣＡの平坦な端面とが互いに磁力によって強く吸着する。
【００５８】
また、第１の頭部５ＣＡの平坦な端面は、第２の磁性体６Ｂに面している第１の磁性体５Ｂの端面に対して略直交する方向において、第１の磁性体５Ｂの端面よりも内側に位置しているので、図５に示すように、第１の連結部材５と第２の連結部材６を磁力で連結したときには、第２の頭部６ＣＡの平坦な端面も第１の磁性体５Ｂの端面よりも内側に位置する。
【００５９】
すなわち、第１の連結部材５と第２の連結部材６を磁力で連結したときには、第２の頭部６ＣＡは第１の磁性体５Ｂの内側に入り込み、第２の頭部６ＣＡは、ずれ難い。
【００６０】
また、図示していないが、第１のネジ５Ｃの第１の頭部５ＣＡとは反対側に、第１の被覆線５Ａの端部が電気的に接続されており、第１のネジ５Ｃの第１の頭部５ＣＡとは反対側と第１の被覆線５Ａの端部とがナットで固定されている。
また、図示していないが、第２のネジ６Ｃの第２の頭部６ＣＡとは反対側に、第２の被覆線６Ａの端部が電気的に接続されており、第２のネジ６Ｃの第２の頭部６ＣＡとは反対側と第２の被覆線６Ａの端部とがナットで固定されている。
【００６１】
本考案の電気柵において、第１の連結部材と第２の連結部材とは互いに、必ずしも磁力の作用で着脱可能に、かつ、導通可能に連結可能でなくてもよい。
【００６２】
しかし、第１の連結部材と第２の連結部材とが互いに、磁力の作用で着脱可能に、かつ、導通可能に連結可能であれば、第１の連結部材と第２の連結部材の連結および連結解除を容易に行なうことができると共に、磁力によって第１の連結部材と第２の連結部材が互いに強く吸着し、接点不良が起き難いので好ましい。
【００６３】
また、第１の連結部材は、必ずしも第１の磁性体と、第１のネジとを有していなくてもよい。
また、第２の連結部材は、必ずしも第２の磁性体と、第２のネジとを有していなくてもよい。
【００６４】
しかし、第１の連結部材が第１の磁性体と第１のネジとを有しており、第２の連結部材が第２の磁性体と第２のネジとを有していれば、第１の頭部の平坦な端面と、第２の頭部の平坦な端面とが互いに接触し易いので好ましい。
さらに、第１の頭部の平坦な端面と、第２の頭部の平坦な端面とが互いに接触したときに、第２の頭部が第１の磁性体の内側に入り込み、第２の頭部がずれ難いので好ましい。
【００６５】
次に、図１に示す本考案の電気柵の電気回路の開閉の様子を説明する。
図１に示すように、開閉用支柱４が閉位置に位置した状態の場合、第１の連結部材５と第２の連結部材６とが連結されているので、本考案の電気柵１の電気回路は「閉」の状態である。
【００６６】
従って、電源装置１５の電源がオンにされると、本考案の電気柵１の第１〜５の柵線（２Ａ〜２Ｅ）に、電源装置１５に内蔵された電圧印加回路９が約８，０００Ｖの電圧を印加する。
【００６７】
この状態の本考案の電気柵１の第１〜５の柵線（２Ａ〜２Ｅ）に、野生動物例えばイノシシが接触すると、イノシシは、約８，０００Ｖを有する電圧の、矢印の方向に流れる衝撃電流を受けて退散する。
【００６８】
一方、人が本考案の電気柵１で囲まれた田畑領域に入ったり出たりする場合は、第１の連結部材５と第２の連結部材６との連結を解除する。
また、バインド線１８の結束を解除して、第１の出入口用支柱３から開閉用支柱４を引き離し、図３に示す位置まで開閉用支柱４を移動させる。
【００６９】
そして、図３に示すような、開閉用支柱４が開位置に位置した状態の場合、第１の連結部材５と第２の連結部材６とは連結されていないので、本考案の電気柵１の電気回路は「開」の状態である。
【００７０】
図６は、本考案の電気柵の変形例を示す概略図である。また、図７は、図６に示した本考案の電気柵の第２の支柱とその周辺の概略部分拡大図である。
【００７１】
図６には、本考案の２つの電気柵が示されている。すなわち、図６には、本考案の第１の圃場用電気柵２１と、本考案の第２の圃場用電気柵３１が示されている。
【００７２】
本考案の第１の圃場用電気柵２１は、線状の裸電線である第１の柵線２２Ａと、線状の裸電線である第２の柵線２２Ｂとを備える。
【００７３】
また、本考案の第１の圃場用電気柵２１は、第１の圃場の周囲に、一定の間隔で端部が地中に埋め込まれて立設された複数の導電性の支柱を備える。
【００７４】
また、複数の支柱のうち、第１の柵線２２Ａおよび第２の柵線２２Ｂの一端が取付けられた支柱が第１の支柱２３である。
また、複数の支柱のうち、第１の柵線２２Ａおよび第２の柵線２２Ｂの端部以外の部分が取付けられた支柱が支持支柱２５である。
【００７５】
また、本考案の第１の圃場用電気柵２１は、第２の柵線２２Ｂの他端が取付けられた第２の支柱２４を備える。
【００７６】
また、第１の支柱２３と、第２の支柱２４と、支持支柱２５にはそれぞれ、長手方向に所定の間隔で絶縁性の第１の碍子２８Ａおよび絶縁性の第２の碍子２８Ｂが取付けられている。
【００７７】
すなわち、図６に示すように、第１の碍子２８Ａの方が地面に近い位置に配置されており、第２の碍子２８Ｂは第１の碍子２８Ａの略鉛直方向上側に配置されている。
【００７８】
また、第１の柵線２２Ａは第１の碍子２８Ａに係止されて張設されており、第２の柵線２２Ｂは第２の碍子２８Ｂに係止されて張設されており、第１の柵線２２Ａと第２の柵線２２Ｂは第１の圃場の周囲に形成されている。
【００７９】
すなわち、第１の柵線２２Ａは地面に対して略平行に配置されており、第１の柵線２２Ａの略鉛直方向上側に第１の柵線２２Ａに対して略平行に第２の柵線２２Ｂが配置されている。
また、第１の柵線２２Ａと第２の柵線２２Ｂは互いに、導電性を有する上下結線２７で電気的に接続されている。
【００８０】
ここで、第１の支柱２３には、第１の柵線２２Ａおよび第２の柵線２２Ｂの一端が取付けられていると共に、第１の柵線２２Ａの他端と、第２の柵線２２Ｂの端部以外の部分も取付けられている。
【００８１】
すなわち、第１の碍子２８Ａおよび第２の碍子２８Ｂには、第１の柵線２２Ａおよび第２の柵線２２Ｂの一端が係止されると共に、第１の柵線２２Ａの他端と、第２の柵線２２Ｂの端部以外の部分も係止されている。
【００８２】
また、本考案の第１の圃場用電気柵２１は、第２の柵線２２Ｂと電気的に接続された第１の連結部材５を備える。
具体的には、図７に示すように、第１の連結部材５の第１の磁性体５Ｂの内側に取付けられた、図示していない第１のネジと電気的に接続された第１の被覆線５Ａの一端とは反対側の他端が、第２の支柱２４に取付けられた第２の柵線２２Ｂと電気的に接続されている。
【００８３】
また、本考案の第１の圃場用電気柵２１は、第１の連結部材５と磁力の作用で着脱可能に、かつ、導通可能に連結可能な第２の連結部材６を備える。
【００８４】
また、本考案の第１の圃場用電気柵２１は、電源装置１５に内蔵された電圧印加回路９を備える。
ここで、電圧印加回路９は、電源装置１５の出力端子１３と電気的に接続されており、また、出力端子１３には出力線１２の一端が電気的に接続されており、出力線１２の他端は第２の連結部材６と電気的に接続されている。
すなわち、電圧印加回路９は、第２の連結部材６と出力線１２を介して電気的に接続されている。
【００８５】
具体的には、第２の連結部材６の第２の磁性体６Ｂの内側に取付けられた、図示していない第２のネジと電気的に接続された第２の被覆線６Ａの一端とは反対側の他端が、図７に示すように、出力線１２と電気的に接続されている。
【００８６】
また、図６および図７に示すように、第２の柵線２２Ｂと電気的に接続された第１の連結部材５は、電源装置の出力線１２と電気的に接続された第２の連結部材６と連結している。
【００８７】
また、電圧印加回路９は、第２の連結部材６に所定の電圧例えば約８，０００Ｖの電圧を印加可能である。
【００８８】
また、本考案の第２の圃場用電気柵３１は、線状の裸電線である第１の柵線３２Ａと、線状の裸電線である第２の柵線３２Ｂとを備える。
【００８９】
また、本考案の第２の圃場用電気柵３１は、第２の圃場の周囲に、一定の間隔で端部が地中に埋め込まれて立設された複数の導電性の支柱を備える。
【００９０】
また、複数の支柱のうち、第１の柵線３２Ａおよび第２の柵線３２Ｂの一端が取付けられた支柱が第１の支柱３３である。
また、複数の支柱のうち、第１の柵線３２Ａおよび第２の柵線３２Ｂの端部以外が取付けられた支柱が支持支柱３５である。
【００９１】
また、本考案の第２の圃場用電気柵３１は、第２の柵線３２Ｂの他端が取付けられた第２の支柱３４を備える。
【００９２】
また、第１の支柱３３と、第２の支柱３４と、支持支柱３５にはそれぞれ、長手方向に所定の間隔で絶縁性の第１の碍子３８Ａおよび絶縁性の第２の碍子３８Ｂが取付けられている。
【００９３】
すなわち、図６に示すように、第１の碍子３８Ａの方が地面に近い位置に配置されており、第２の碍子３８Ｂは第１の碍子３８Ａの略鉛直方向上側に配置されている。
【００９４】
また、第１の柵線３２Ａは第１の碍子３８Ａに係止されて張設されており、第２の柵線３２Ｂは第２の碍子３８Ｂに係止されて張設されており、第１の柵線３２Ａと第２の柵線３２Ｂは第２の圃場の周囲に形成されている。
【００９５】
すなわち、第１の柵線３２Ａは地面に対して略平行に配置されており、第１の柵線３２Ａの略鉛直方向上側に第１の柵線３２Ａに対し略平行に第２の柵線３２Ｂが配置されている。
また、第１の柵線３２Ａと第２の柵線３２Ｂは互いに、導電性を有する上下結線３７で電気的に接続されている。
【００９６】
ここで、第１の支柱３３には、第１の柵線３２Ａおよび第２の柵線３２Ｂの一端が取付けられていると共に、第１の柵線３２Ａの他端と、第２の柵線３２Ｂの端部以外の部分も取付けられている。
【００９７】
すなわち、第１の碍子３８Ａおよび第２の碍子３８Ｂには、第１の柵線３２Ａおよび第２の柵線３２Ｂの一端が係止されると共に、第１の柵線３２Ａの他端と、第２の柵線３２Ｂの端部以外の部分も係止されている。
【００９８】
また、本考案の第２の圃場用電気柵３１は、第２の柵線３２Ｂと電気的に接続された第１の連結部材５を備える。
具体的には、本考案の第１の圃場用電気柵２１と同様に、図７に示すように、第１の連結部材５の第１の磁性体５Ｂの内側に取付けられた、図示していない第１のネジと電気的に接続された第１の被覆線５Ａの一端とは反対側の他端が、第２の支柱３４に取付けられた第２の柵線３２Ｂと電気的に接続されている。
【００９９】
次に、図６に示す本考案の電気柵の電気回路の開閉の様子を説明する。
図６および図７に示すように、本考案の第１の圃場用電気柵２１の第１の連結部材５が、電源装置１５の出力線１２と電気的に接続された第２の連結部材６と連結しているので、本考案の第１の圃場用電気柵２１の電気回路は「閉」の状態である。
【０１００】
従って、電源装置１５の電源がオンにされると、本考案の第１の圃場用電気柵２１の第１の柵線２２Ａおよび第２の柵線２２Ｂに、電源装置１５に内蔵された電圧印加回路９が約８，０００Ｖの電圧を印加する。
【０１０１】
この状態の本考案の第１の圃場用電気柵２１の第１の柵線２２Ａおよび第２の柵線２２Ｂに、野生動物例えばイノシシが接触すると、イノシシは、約８，０００Ｖを有する電圧の衝撃電流を受けて退散する。
【０１０２】
一方、図６および図７に示すように、本考案の第２の圃場用電気柵３１の第１の連結部材５は、電源装置１５の出力線１２と電気的に接続された第２の連結部材６と連結していないので、本考案の第２の圃場用電気柵３１の電気回路は「開」の状態である。
【０１０３】
従って、電源装置１５の電源がオンにされていても、本考案の第２の圃場用電気柵３１の第１の柵線３２Ａおよび第２の柵線３２Ｂには約８，０００Ｖを有する電圧は印加されていないので、人は安心して本考案の第２の圃場用電気柵３１で囲まれた第２の圃場に入ったり出たりできる。
【０１０４】
逆に、本考案の第１の圃場用電気柵２１で囲まれた第１の圃場に入ったり出たりしたい場合、人は、電源装置１５の電源をオフにするか、もしくは、本考案の第１の圃場用電気柵２１の第２の支柱２４に取付けられた第２の柵線２２Ｂと電気的に接続された第１の被覆線５Ａと、電源装置１５の出力線１２と電気的に接続された第２の被覆線６Ａとを掴んで、第１の連結部材５と第２の連結部材６との連結を解除する。
【０１０５】
そして、本考案の第２の圃場用電気柵３１の第１の柵線３２Ａおよび第２の柵線３２Ｂに、約８，０００Ｖの電圧を印加したい場合、本考案の第２の圃場用電気柵３１の第２の支柱３４に取付けられた第２の柵線３２Ｂと電気的に接続された第１の被覆線５Ａと、電源装置１５の出力線１２と電気的に接続された第２の被覆線６Ａとを掴んで、第１の連結部材５と第２の連結部材６とを連結する。
【０１０６】
その結果、今度は、本考案の第２の圃場用電気柵３１の第１の柵線３２Ａおよび第２の柵線３２Ｂに、電源装置１５に内蔵された電圧印加回路９が約８，０００Ｖの電圧を印加する。
【０１０７】
このように、第１の連結部材と第２の連結部材を使用することによって、電源装置の出力線と柵線との接続および接続解除が簡便になり、複数の電気柵の間で、電源装置からの出力切替えを簡単に行なうことができる。
【０１０８】
以上のように、本考案の電気柵は、導電部材と電気的に接続された第１の連結部材と、導電部材と電気的に接続されており、かつ、第２の支柱が閉位置に位置した場合に、第１の連結部材と着脱可能に、かつ、導通可能に連結可能な第２の連結部材とを備えているので、第１の連結部材と第２の連結部材とを互いに連結したときに電気柵の電気回路を閉じることができ、第１の連結部材と第２の連結部材との連結を解除したときに電気柵の電気回路を開くことができる。
【０１０９】
従って、本考案の電気柵は、電気回路の開閉を簡便に行うことができる。
【０１１０】
また、本考案の電気柵は、導電部材と電気的に接続された第１の連結部材と、第１の連結部材と着脱可能に、かつ、導通可能に連結可能な第２の連結部材とを備えているので、電圧印加回路に接続された第２の連結部材と第１の連結部材とを互いに連結したときに電気柵の電気回路を閉じることができ、第１の連結部材と第２の連結部材との連結を解除したときに電気柵の電気回路を開くことができる。
【０１１１】
従って、本考案の電気柵は、電気回路の開閉を簡便に行うことができる。
【符号の説明】
【０１１２】
１      電気柵
２Ａ    第１の柵線
２Ｂ    第２の柵線
２Ｃ    第３の柵線
２Ｄ    第４の柵線
２Ｅ    第５の柵線
３      第１の出入口用支柱
４      開閉用支柱
５      第１の連結部材
５Ａ    第１の被覆線
５Ｂ    第１の磁性体
５Ｃ    第１のネジ
５ＣＡ  第１の頭部
６      第２の連結部材
６Ａ    第２の被覆線
６Ｂ    第２の磁性体
６Ｃ    第２のネジ
６ＣＡ  第２の頭部
６Ｄ    スペーサー
７      第２の出入口用支柱
８Ａ    第１の碍子
８Ｂ    第２の碍子
８Ｃ    第３の碍子
８Ｄ    第４の碍子
８Ｅ    第５の碍子
９      電圧印加回路
１０      アース線
１１      アース棒
１２      出力線
１３      出力端子
１４      アース端子
１５      電源装置
１６      地中
１７      上下結線
１８      バインド線
２１      第１の圃場用電気柵
２２Ａ    第１の柵線
２２Ｂ    第２の柵線
２３      第１の支柱
２４      第２の支柱
２５      支持支柱
２７      上下結線
２８Ａ    第１の碍子
２８Ｂ    第２の碍子
３１      第２の圃場用電気柵
３２Ａ    第１の柵線
３２Ｂ    第２の柵線
３３      第１の支柱
３４      第２の支柱
３５      支持支柱
３７      上下結線
３８Ａ    第１の碍子
３８Ｂ    第２の碍子
【図１】
0003204465.tif 000003
【図２】
0003204465.tif 000004
【図３】
0003204465.tif 000005
【図４】
0003204465.tif 000006
【図５】
0003204465.tif 000007
【図６】
0003204465.tif 000008
【図７】
0003204465.tif 000009
【図８】
0003204465.tif 000010